【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、
あらかじめ定められている可変表示の実行条件が成立した後、可変表示の開始条件の成立にもとづいて識別情報の可変表示を開始し、表示結果を導出表示する可変表示装置と、
遊技球が入賞可能な開放状態と遊技球が入賞不可能な閉鎖状態のいずれかの状態に制御可能な可変入賞球装置とを備え、
前記可変入賞球装置内に設けられた入賞領域のうち特別領域に遊技球が入賞したときに、前記可変入賞球装置を所定回開放状態に制御する特定遊技状態に移行させる遊技機であって、
遊技の進行を制御する遊技制御手段を備え、
前記遊技制御手段は、
前記可変表示装置の表示結果を決定する表示結果決定手段と、
前記可変表示装置に開放表示結果が導出表示されたときに、前記可変入賞球装置が１回または複数回開放状態となる始動動作状態に制御する始動動作制御手段とを備え、
前記表示結果決定手段により決定される前記開放表示結果は複数種類あり、前記開放表示結果に応じて前記特定遊技状態における前記可変入賞球装置の開放回数を異ならせる
ことを特徴とする遊技機。
【請求項２】
遊技球が入賞可能な開放状態と遊技球が入賞不可能な閉鎖状態のいずれかの状態に変化可能な特定可変入賞装置を備え、
遊技制御手段は、可変表示装置に特定表示結果が導出表示されたときに、特定遊技状態のうち、前記特定可変入賞装置を所定回開放状態に制御する状態に移行させることを特徴とする
請求項１記載の遊技機。
【請求項３】
未だ可変表示の開始条件が成立していない可変表示の実行条件の数である保留数を記憶する保留記憶手段と、
前記保留記憶手段が記憶している保留数を特定可能な表示を行う保留数表示手段とを備えた
請求項１または請求項２記載の遊技機。
【請求項４】
可変入賞球装置の入賞領域に入賞した遊技球を検出して入賞検出信号を出力する入賞検出手段を備え、
遊技制御手段は、
前記入賞検出手段からの前記入賞検出信号を入力したか否かを判定する入賞判定手段と、
前記可変入賞球装置が前記始動動作状態または前記特定遊技状態に制御されていないときに前記入賞判定手段が前記入賞検出信号を入力したことにもとづいて異常入賞が生じたと判定する可変入賞球装置異常判定手段とを含む
請求項１から請求項３のうちのいずれかに記載の遊技機。
【請求項５】
可変入賞球装置の入賞領域に入賞した遊技球を検出して入賞検出信号を出力する入賞検出手段と、
前記可変入賞球装置に進入した遊技球が該可変入賞球装置から排出されたことを特定可能な排出検出信号を出力する排出検出手段とを備え、
遊技制御手段は、前記入賞検出手段からの前記入賞検出信号を入力したか否かを判定する入賞判定手段と、前記排出検出手段からの前記排出検出信号にもとづいて、前記可変入賞球装置に進入した遊技球が該可変入賞球装置から排出されたか否かを判定する排出判定手段とを含み、
前記可変入賞球装置に進入した遊技球が該可変入賞球装置から排出されたことが前記排出判定手段により判定されたことを条件に、前記入賞判定手段が前記入賞検出信号を入力したことにもとづいて、異常入賞が生じたと判定する排出異常判定手段を備えた
請求項１から請求項４のうちのいずれかに記載の遊技機。
【請求項６】
入賞領域に遊技球が入賞したことに応じて景品遊技球を払い出す制御を実行する景品遊技球払出制御手段を備え、
前記景品遊技球払出制御手段は、可変入賞球装置異常判定手段が異常入賞が生じたと判定したときには当該入賞にもとづく景品遊技球を払い出す制御の実行を禁止する払出制御禁止手段を含む
請求項４または請求項５記載の遊技機。
【請求項７】
遊技領域に、入賞により可変表示の実行条件を成立させる始動領域が形成され、
前記始動領域に遊技球が入賞可能な開状態と前記始動領域に遊技球が入賞不可能な閉状態とのいずれかの状態になることが可能な可変始動入賞装置と、
前記始動領域に入賞した遊技球を検出して始動検出信号を出力する始動検出手段とを備え、
遊技制御手段は、
前記可変始動入賞装置を開状態にする条件の成立に応じて、前記可変始動入賞装置を開状態にした後閉状態にする開閉動作を実行させる可変始動入賞装置制御手段と、
前記可変始動入賞装置が前記開閉動作していないときに、前記始動検出手段が始動検出信号を出力したことにもとづいて異常入賞が生じたと判定する可変始動入賞装置異常判定手段とを含む
請求項１から請求項６のうちのいずれかに記載の遊技機。
【請求項８】
特定遊技状態に制御される確率が通常状態に比べて高められている特別状態に制御可能な遊技機であって、
遊技制御手段は、特別状態での特定遊技状態における可変入賞球装置の開放回数の選択割合を、通常状態での特定遊技状態における該可変入賞球装置の開放回数の選択割合と変える
請求項１から請求項７のうちのいずれかに記載の遊技機。
【請求項９】
遊技球が入賞可能な開放状態と遊技球が入賞不可能な閉鎖状態のいずれかの状態に変化可能な特定可変入賞装置を備え、
遊技制御手段は、
特定遊技状態における各開放回で、可変入賞球装置を開放状態にするか前記特定可変入賞装置を開放状態にするかを選択する開放選択手段と、
前記開放選択手段により前記可変入賞球装置が選択された回において特別領域への入賞がないときには前記特定遊技状態を終了させる特定遊技状態終了手段と、
特定遊技状態における前記可変入賞球装置および前記特定可変入賞装置の開放回数を、表示結果決定手段が決定した開放表示結果に応じて決定する開放回数決定手段とを含む
請求項１から請求項８のうちのいずれかに記載の遊技機。
【手続補正２】
【補正対象書類名】明細書
【補正対象項目名】００１２
【補正方法】変更
【補正の内容】
【００１２】
可変入賞球装置の入賞領域に入賞した遊技球を検出して入賞検出信号を出力する入賞検出手段（例えば、第１役物入賞スイッチ７１ａ、第２役物入賞スイッチ７２ａ、第３役物入賞スイッチ７３ａ）を備え、遊技制御手段は、入賞検出手段からの入賞検出信号を入力したか否かを判定する入賞判定手段（例えば、遊技制御用マイクロコンピュータ５６０においてステップＳ５９２，Ｓ５９３，Ｓ５９６，Ｓ５９７，Ｓ６０１，Ｓ６０２の処理を実行する部分）と、可変入賞球装置が始動動作状態または特定遊技状態に制御されていないときに入賞判定手段が入賞検出信号を入力したことにもとづいて異常入賞が生じたと判定する可変入賞球装置異常判定手段（例えば、遊技制御用マイクロコンピュータ５６０においてステップＳ５９１，Ｓ５９４，Ｓ５９８，Ｓ６０３の処理を実行する部分）とを含むように構成されていてもよい。
【手続補正３】
【補正対象書類名】明細書
【補正対象項目名】００１３
【補正方法】変更
【補正の内容】
【００１３】
可変入賞球装置の入賞領域に入賞した遊技球を検出して入賞検出信号を出力する入賞検出手段（例えば、第１役物入賞スイッチ７１ａ、第２役物入賞スイッチ７２ａ、第３役物入賞スイッチ７３ａ）と、可変入賞球装置に進入した遊技球が可変入賞球装置から排出されたことを特定可能な排出検出信号を出力する排出検出手段（例えば、役物排出スイッチ８５ａ）とを備え、遊技制御手段は、入賞検出手段からの入賞検出信号を入力したか否かを判定する入賞判定手段（例えば、遊技制御用マイクロコンピュータ５６０においてステップＳ５９２，Ｓ５９３，Ｓ５９６，Ｓ５９７，Ｓ６０１，Ｓ６０２の処理を実行する部分）と、排出検出手段からの排出検出信号にもとづいて、可変入賞球装置に進入した遊技球が可変入賞球装置から排出されたか否かを判定する排出判定手段（例えば、遊技制御用マイクロコンピュータ５６０においてステップＳ４２７，Ｓ４３４，Ｓ４９０，Ｓ４９７の処理を実行する部分）とを含み、可変入賞球装置に進入した遊技球が可変入賞球装置から排出されたことが排出判定手段により判定されたことを条件に（遊技制御用マイクロコンピュータ５６０が可変入賞球装置から排出されたことを検出した場合に小当り遊技中またはラウンド中の状態から移行することを条件として：ステップＳ９４１参照）、入賞判定手段が入賞検出信号を入力したことにもとづいて、異常入賞が生じたと判定する排出異常判定手段（演出制御用マイクロコンピュータ１００において、ステップＳ９４２〜Ｓ９４６の処理を実行する部分））を備えていてもよい。
【手続補正４】
【補正対象書類名】明細書
【補正対象項目名】００１５
【補正方法】変更
【補正の内容】
【００１５】
遊技領域に、入賞により可変表示の実行条件を成立させる始動領域（例えば、第３始動入賞口１３）が形成され、始動領域に遊技球が入賞可能な開状態と始動領域に遊技球が入賞不可能な閉状態とのいずれかの状態になることが可能な可変始動入賞装置（例えば、可変入賞球装置１５）と、始動領域に入賞した遊技球を検出して始動検出信号を出力する始動検出手段（例えば、第３始動口スイッチ１３ａ）とを備え、遊技制御手段は、可変始動入賞装置を開状態にする条件の成立に応じて、可変始動入賞装置を開状態にした後閉状態にする開閉動作を実行させる可変始動入賞装置制御手段（例えば、遊技制御用マイクロコンピュータ５６０においてステップＳ４１１〜Ｓ４１３，Ｓ４３０の処理を実行する部分）と、可変始動入賞装置が開閉動作していないときに、始動検出手段が始動検出信号を出力したことにもとづいて異常入賞が生じたと判定する可変始動入賞装置異常判定手段（例えば、遊技制御用マイクロコンピュータ５６０においてステップＳ６０５〜Ｓ６０９の処理を実行する部分）とを含むように構成されていてもよい。
【手続補正５】
【補正対象書類名】明細書
【補正対象項目名】００２１
【補正方法】変更
【補正の内容】
【００２１】
請求項４記載の発明では、可変入賞球装置が始動動作状態または特定遊技状態に制御されていないときに入賞判定手段が入賞検出信号を入力したことにもとづいて異常入賞が生じたと判定するように構成されているので、不正行為を効果的に防止することができる。
【手続補正６】
【補正対象書類名】明細書
【補正対象項目名】００２２
【補正方法】変更
【補正の内容】
【００２２】
請求項５記載の発明では、可変入賞球装置に進入した遊技球が可変入賞球装置から排出されたことが排出判定手段により判定されたことを条件に、入賞判定手段が入賞検出信号を入力したことにもとづいて、異常入賞が生じたと判定する排出異常判定手段を備えているので、不正行為を効果的に防止することができる。
【手続補正７】
【補正対象書類名】明細書
【補正対象項目名】００２３
【補正方法】変更
【補正の内容】
【００２３】
請求項６記載の発明では、景品遊技球払出制御手段が、可変入賞球装置異常判定手段が異常入賞が生じたと判定したときには当該入賞にもとづく景品遊技球を払い出す制御の実行を禁止するように構成されているので、不正行為によって入賞判定手段が入賞検出信号を入力した可能性がある場合に、入賞にもとづく賞球払出をしないようにして遊技店に不利益が与えられることを防止できる。
【手続補正８】
【補正対象書類名】明細書
【補正対象項目名】００２４
【補正方法】変更
【補正の内容】
【００２４】
請求項７記載の発明では、遊技制御手段が、可変始動入賞装置が開閉動作していないときに、始動検出手段が始動検出信号を出力したことにもとづいて異常入賞が生じたと判定する可変始動入賞装置異常判定手段を含むので、始動検出手段から始動検出信号が出力される状態を作成するような不正行為を防止することができる。